(57)【要約】【課題】  データ収集装置の盗難防止機能を向上する。【解決手段】  操作パネルを覆い隠すように設置した開閉自在なドア４０の開閉動作を検知する開閉ドアセンサ３９と、開閉ドアセンサ３９が検知した開閉データを記憶するデータ記憶部３５と、データ記憶部３５が記憶した開閉履歴に基づいて所定間隔で開閉回数を演算するデータ演算部３３と、このデータ演算部３３が演算した開閉回数が所定数を超えると、警報通知メールをクライアント端末２へ送信する無線通信制御部３７とを有する。【選択図】      図３
2008304974.tif 000002
【特許請求の範囲】
【請求項１】
操作部を覆い隠すように設置した開閉自在な開閉構造部を有し、屋外の環境情報を収集するデータ収集装置において、
前記開閉構造部の開閉動作を検知する検知手段と、
該検知手段が検知した開閉データを記憶する記憶手段と、
該記憶手段が記憶した開閉履歴に基づいて所定の間隔で開閉回数を演算する演算手段と、
該演算手段が演算した開閉回数が所定数を超えると別のデータ収集装置へ警報信号を送信する送信手段と
を有することを特徴とするデータ収集装置。
【請求項２】
別のデータ収集装置から警報信号を受信する受信手段と、
該受信手段が警報信号を受信すると該警報信号を発信したデータ収集装置を撮像する撮像手段と、
該撮像手段が撮像した画像を外部端末器へ送信する送信手段と
を有することを特徴とする請求項１に記載のデータ収集装置。
【請求項３】
電気通信回線を経由して相互が接続した屋外の環境情報を収集する複数のデータ収集装置からなるデータ収集システムにおいて、
前記データ収集装置が、
操作部を覆い隠すように設置した開閉自在な開閉構造部と、
該開閉構造部の開閉動作を検知する検知手段と、
該検知手段が検知した開閉データを記憶する記憶手段と、
該記憶手段が記憶した開閉履歴に基づいて所定の間隔で開閉回数を演算する演算手段と、
該演算手段が演算した開閉回数が所定数を超えると別のデータ収集装置へ警報信号を送信する送信手段と、
別のデータ収集装置から警報信号を受信する受信手段と、
該受信手段が警報信号を受信すると該警報信号を発信したデータ収集装置を撮像する撮像手段と、
該撮像手段が撮像した画像を外部端末器へ送信する送信手段と
を具備することを特徴とするデータ収集システム。
【発明の詳細な説明】
【技術分野】
【０００１】
本発明は、データ収集装置に係り、とくに、屋外の環境情報を収集するデータ収集装置に関する。
【背景技術】
【０００２】
近年、さまざまな分野で情報通信技術を応用している。たとえば、データ収集システムでは、遠隔地に、周囲の環境情報を収集するデータ収集装置を設置し、電気通信回線を経由することで、自宅で、収集したデータを閲覧することができるようになった。具体的には、遠隔地にある農地または農場に、農作物の生育環境に関したデータ（以降、環境データと略記）を収集するデータ収集装置を設置し、電気通信回線を経由することで、自宅で、農作物の生育情報を閲覧することができる下記の特許文献１または２に記載のデータ収集システムが公知である。
【特許文献１】特開２００６−  ４２７２１号公報
【特許文献２】特開２００６−１０５７４５号公報
【発明の開示】
【発明が解決しようとする課題】
【０００３】
ところで、上記のようなデータ収集システムは、データ収集装置を遠隔地に設置するので、不審者による盗難の危険がある。この対策として、特許文献２に記載のデータ収集装置では、内蔵のカメラを用いて不審者を探知している。しかし、上記の対策では、不審者が防犯カメラの存在を認識して映らないような処置を講じた場合には効果がない。
【０００４】
以上にかんがみて、本発明は、盗難防止機能が向上したデータ収集装置を提供することを目的とする。
【課題を解決するための手段】
【０００５】
請求項１にあっては、上記の課題を解決するために、操作部を覆い隠すように設置した開閉自在な開閉構造部の開閉動作を検知する検知手段と、この検知手段が検知した開閉データを記憶する記憶手段と、この記憶手段が記憶した開閉履歴に基づいて所定の間隔で開閉回数を演算する演算手段と、この演算手段が演算した開閉回数が所定数を超えると別のデータ収集装置へ警報信号を送信する送信手段とを有する。
【０００６】
請求項２にあっては、上記の課題を解決するために、別のデータ収集装置から警報信号を受信する受信手段と、この受信手段が警報信号を受信するとこの警報信号を発信したデータ収集装置を撮像する撮像手段と、この撮像手段が撮像した画像を外部端末器へ送信する送信手段とを有する。
【０００７】
請求項３にあっては、上記の課題を解決するために、電気通信回線を経由して相互が接続した屋外の環境情報を収集する複数のデータ収集装置が、操作部を覆い隠すように設置した開閉自在な開閉構造部と、この開閉構造部の開閉動作を検知する検知手段と、この検知手段が検知した開閉データを記憶する記憶手段と、この記憶手段が記憶した開閉履歴に基づいて所定の間隔で開閉回数を演算する演算手段と、この演算手段が演算した開閉回数が所定数を超えると別のデータ収集装置へ警報信号を送信する送信手段と、別のデータ収集装置から警報信号を受信する受信手段と、この受信手段が警報信号を受信するとこの警報信号を発信したデータ収集装置を撮像する撮像手段と、この撮像手段が撮像した画像を外部端末器へ送信する送信手段とを具備する。
【発明の効果】
【０００８】
請求項１の発明によれば、操作部を覆い隠す開閉構造部の開閉回数が所定数を超えると別のデータ収集装置へ警報信号を送信する。したがって、操作部での入力操作を試みている不審者の存在を別のデータ収集装置に知らせることができるため、データ収集装置の盗難機能が向上する。
【０００９】
請求項２の発明によれば、別のデータ収集装置から警報信号を受信するとこの警報信号を発信したデータ収集装置を撮像して外部端末器へ送信する。したがって、別のデータ収集装置における操作部での入力操作を試みている不審者の存在を知ることができるため、データ収集装置の盗難機能が向上する。
【００１０】
請求項３の発明によれば、データ収集装置の操作部を覆い隠す開閉構造部の開閉回数が所定数を超えると別のデータ収集装置へ警報信号を送信し、警報信号を受信した複数のデータ収集装置が、警報信号を発信したデータ収集装置を撮像して外部端末器へ送信する。したがって、データ収集装置における操作部での入力操作を試みている不審者の存在を多方面から知ることができるため、データ収集装置の盗難機能が向上する。
【発明を実施するための最良の形態】
【００１１】
以下、本発明の実施形態について図面を参照しながら詳細に説明する。
【００１２】
図１は、本発明に係る、農作物育成支援システム１の全体構成を示すブロック図である。農作物育成支援システム１は、遠隔地にある農地または農場に設置したデータ収集装置３と、電気通信回線５に接続することができる場所に設置した集計解析サーバ・コンピュータ４（以降、集計解析サーバ４と略記）と、農地または農場の管理者が利用することができる場所に設置したクライアント・コンピュータ２（以降、クライアント端末２と略記）とを構成要素としている。なお、データ収集装置３と、集計解析サーバ４と、クライアント端末２とは、電気通信回線５を経由して相互に通信している。また、データ収集装置３は、所定のアクセスポイント（図示しない）を経由して電気通信回線に接続している。以下、各構成要素について説明する。
【００１３】
データ収集装置３は、環境データを収集して集計解析サーバ４へ送信する。また、データ収集装置３は、環境データをクライアント端末２に提供する。なお、データ収集装置３については、のちほど、さらに詳しく説明する。
【００１４】
集計解析サーバ４は、データ収集装置３が収集した環境データを受信して、管理者ごとに所定の形式で集計する。また、集計解析サーバ４は、所定の方式のもとに環境データを解析する。この解析によって、集計解析サーバ４は、農作物に関した生育情報を抽出してクライアント端末２に提供する。なお、集計解析サーバ４は、ワークステーションなどの、はん用情報処理装置を用いている。
【００１５】
クライアント端末２は、データ収集装置３が収集した環境データまたは集計解析サーバ４が抽出した生育情報を読み込んで表示または保存する。また、クライアント端末２は、データ収集装置３または集計解析サーバ４を遠隔制御する。なお、クライアント端末２は、パーソナル・コンピュータまたは携帯電話、ＰＤＡ（Personal Digital Assistant）などの、はん用情報処理装置を用いている。
【００１６】
以上の構成要素によって、農作物育成支援システム１は、遠隔地にある農地または農場での環境データを収集して集計または解析し、農地または農場の管理者に生育情報を提供する。
【００１７】
図２は、データ収集装置３の外観を示す斜視図である。データ収集装置３は、本体ユニット３０を主体とし、支柱３０ａが本体ユニット３０から独立して存在している。なお、支柱３０ａには、カメラ・ユニット６または温度・湿度センサ７が上部に設置してある。
【００１８】
図３は、本体ユニット３０の主体構成を機能別に示したブロック図である。本体ユニット３０は、内部に設置した、センサ・インタフェース部３１（以降、センサＩ／Ｆ部３１と略記）と、データ収集部３２と、データ演算部３３と、データ制御部３４と、データ記憶部３５と、無線通信制御部３７と、無線通信部３８と、本体ハウジングに設置したデータ表示部３６とを構成要素としている。以下、各構成要素について説明する。
【００１９】
センサＩ／Ｆ部３１は、センサとデータ収集部３２との間での通信を制御する。
【００２０】
センサは、環境データを検出してデータ収集部３２へ出力する。具体的には、温度・湿度センサ７０または土壌温度センサ７１、土壌水分センサ７２、土壌ＥＣセンサ７３、日射量センサ７４、ＣＯ２センサ７５を用いている。温度・湿度センサ７０は、空気の温度または湿度を検出する。具体的には、温度検出に白金測温抵抗体型を、湿度検出に静電容量式高分子ポリマ型を用いている。土壌温度センサ７１は、農地または農場の土壌温度を検出する。土壌水分センサ７２は、農地または農場の度胸水分を検出する。具体的には、電気抵抗型を用いている。土壌ＥＣセンサ７３は、農地または農場の土壌中に含む肥料の含有傾向を検出する。具体的には、電気伝導度を用いている。日射量センサ７４は、地表面上の全天日射量を検出する。具体的には、熱電対型を用いている。ＣＯ２センサ７５は、空気中のＣＯ２濃度を検出する。具体的には、固体高分子型を用いている。
【００２１】
データ収集部３２は、センサが検出した環境データを所定の周期で自動的に収集して、取得日時とともにデータ演算部３３へ出力する。
【００２２】
データ演算部３３は、データ収集部３２が収集した環境データを所定の形式に変換してデータ制御部３４へ出力する。
【００２３】
データ制御部３４は、データ演算部３３が変換した環境データを、データ記憶部３５に記憶させ、データ表示部３６に表示させる。また、データ制御部３４は、カメラ・ユニット６に、農作物の生育に関した画像（以降、生育画像と略記）を撮像させ、データ記憶部３５に記憶させる。さらに、データ制御部３４は、無線通信制御部３７の要求に応じて、データ記憶部３５が記憶した環境データまたは生育画像を読み込んで無線通信制御部３７へ出力する。
【００２４】
カメラ・ユニット６は、生育画像を撮像する。具体的には、ＣＣＤ型またはＣ−ＭＯＳ型のイメージ・センサが内蔵したカメラ６０を備えている。
【００２５】
データ記憶部３５は、データ制御部３４の指示で、データ演算部３３が変換した環境データまたはカメラ・ユニット６が撮像した生育画像を所定の方式のもとで記憶する。具体的には、外部メモリを用いている。
【００２６】
無線通信制御部３７は、データ記憶部３５の所定範囲をデータ制御部３４に要求し、取得した環境データまたは生育画像を集計解析サーバ４へ送信する。具体的には、集計解析サーバ４に未送信の環境データまたは生育画像などを、データ制御部３４に要求して送信する。また、無線通信制御部３７は、クライアント端末２からの要求に応じて、データ記憶部３５の指定範囲をデータ制御部３４に要求し、取得した環境データまたは生育画像をクライアント端末２へ送信する。
【００２７】
無線通信部３８は、無線通信制御部３７と所定のアクセス・ポイント（図示しない）との間での通信を制御する。具体的には、アンテナを用いている。
【００２８】
データ表示部３６は、データ制御部３４の指示で、データ演算部３３が変換した環境データまたはカメラ・ユニット６が撮像した生育画像を表示する。具体的には、液晶ディスプレイを用いている。
【００２９】
以上の構成によって、データ収集装置３は、遠隔地にある農地または農場で、環境データまたは生育画像を収集して集計解析サーバ４へ送信する。
【００３０】
本発明を適用した本体ユニット６０は、上記の構成に加え、本体ハウジングに設置したドア開閉センサ３９を備える。以下、各構成要素について説明する。
【００３１】
ドア開閉センサ３９は、ドア４０の開閉動作を検知してデータ収集部３２へ出力する。
【００３２】
センサＩ／Ｆ部３１は、ドア開閉センサ３９とデータ収集部３２との間での通信を制御する。
【００３３】
データ収集部３２は、ドア開閉センサ３９が検出した開閉データを所定の周期で自動的に収集して、取得日時とともにデータ演算部３３へ出力する。
【００３４】
データ演算部３３は、データ収集部３２が収集した開閉データを、所定の形式に変換してデータ制御部３４へ出力する。また、データ演算部３３は、データ制御部３４の指示で、データ記憶部３５が記憶した開閉履歴をもとに所定の間隔で開閉回数を演算する。
【００３５】
データ制御部３４は、データ演算部３３が変換した開閉データを、ドア４０が開または閉動作するごとに、データ記憶部３５に記憶させる。この指示によって、ドア４０の開閉履歴を生成する。データ制御部３４は、また、データ記憶部３５が記憶した開閉履歴をデータ表示部３６に表示させる。さらに、データ制御部３４は、データ記憶部３５が記憶した開閉履歴を読み込んでデータ演算部３３へ出力し、データ演算部３３に所定の時間間隔で開閉回数を演算させる。さらにまた、データ制御部３４は、別のデータ収集装置３から警報信号を受信すると、警報信号を発信したデータ収集装置３をカメラ・ユニット６に撮像させ、クライアント端末２へ送信させる。なお、警報信号には、各データ収集装置３の位置を認識するＩＤを含んでいる。したがって、データ制御部３４は、このＩＤに基づいて、記憶している各データ収集装置のＩＤおよび、対応する位置情報と照合することで、警報信号を発信したデータ収集装置３の位置を認識する。
【００３６】
上記の開閉回数が所定数を超えると、データ制御部３４は、無線通信制御部３７に、警報に関した通知メール（以降、警報通知メールと略記）をクライアント端末２へ送信させるとともに、別のデータ収集装置３へ警報信号を送信させる。
【００３７】
データ記憶部３５は、データ制御部３４の指示で、データ演算部３３が変換した開閉データを所定の方式のもとに記憶する。この記憶によって、開閉データは、ドア４０の開閉履歴となる。換言すれば、操作パネルの操作履歴である。
【００３８】
無線通信制御部３７は、データ制御部３４の指示で、警報通知メールをクライアント端末２へ、警報信号を、別のデータ収集装置３へ送信する。
【００３９】
図４は、ドア４０の開閉回数が所定数を越えた場合の警報処理を示すフローチャートである。警報処理は、所定の期間内におけるドア４０の開閉回数が所定数を超えた場合に、データ制御部３４の指示で、警報通知メールをクライアント端末２へ送信するとともに、別のデータ収集装置３へ警報信号を送信する。以下、警報処理の流れを説明する。
【００４０】
ステップＳ１において、データ制御部３４は、ドア４０が「開閉したか」を判断して、「開閉した」と判断するとステップＳ２へ移行し、「開閉してない」と判断するとステップＳ１へ戻す。
【００４１】
ステップＳ２において、データ制御部３４は、データ演算部３３に時間計測を開始させ、ステップＳ３へ移行する。
【００４２】
ステップＳ３において、データ制御部３４は、時間計測を開始してからの時間が所定の時間を「経過したか」を判断して、「経過してない」と判断するとステップＳ４へ移行し、「経過した」と判断するとステップＳ１へ戻す。
【００４３】
ステップＳ４において、データ制御部３４は、ドア４０が「開閉したか」を判断して、「開閉した」と判断するとステップＳ５へ移行し、「開閉してない」と判断するとステップＳ３へ戻す。
【００４４】
ステップＳ５において、データ制御部３４は、データ演算部３３に開閉回数をカウントアップさせ、ステップＳ６へ移行する。
【００４５】
ステップＳ６において、データ制御部３４は、開閉回数が所定数を「超えたか」を判断して、「超えた」と判断するとステップＳ７へ移行し、「超えてない」と判断するとステップＳ３へ戻す。
【００４６】
ステップＳ７において、データ制御部３４は、警報通知メールをクライアント端末２へ送信させ、ステップＳ８へ移行する。
【００４７】
ステップＳ８において、データ制御部３４は、無線通信制御部３７に警報信号を別のデータ収集装置へ送信させ、ステップＳ９へ移行する。
【００４８】
ステップＳ９において、データ制御部３４は、データ演算部３３に時間計測および開閉回数をリセットさせ、ステップＳ１へ移行する。
【００４９】
なお、ステップＳ７の警報メール送信処理と、ステップＳ８の警報信号送信処理とは、どちらか一方の処理をするか、両方の処理をする。
【００５０】
図５は、別のデータ収集装置３から警報信号を受信した場合の処理を示すフローチャートである。受信処理は、別のデータ収集装置３から警報信号を受信した場合に、警報信号を発信したデータ収集装置３をカメラ・ユニット６に撮像させ、無線通信制御部３７にクライアント端末２へ送信させる処理である。以下、受信処理の流れを説明する。
【００５１】
ステップＳ２１において、データ制御部３４は、警報信号を「受信したか」を、別のデータ収集装置３から警報信号で判断し、警報信号を「受信した」と判断するとステップＳ２２へ移行し、「受信してない」と判断するとステップＳ２１へ戻す。
【００５２】
ステップＳ２２において、データ制御部３４は、警報信号を発信したデータ収集装置３をカメラ・ユニット６に撮像させ、ステップＳ２３へ移行する。
【００５３】
ステップＳ２３において、データ制御部３４は、無線通信制御部３７にクライアント端末２へカメラ・ユニット６が撮像した画像を送信させ、ステップＳ２１へ戻す。
【００５４】
以上の構成によって、本体ユニット３０は、操作パネルにおけるドア４０の開閉回数が所定数を超えると、警報通知メールをクライアント端末へ、警報信号を、別のデータ収集装置３へ送信する。また、本体ユニット３０は、別のデータ収集装置から警報信号を受信すると、カメラ・ユニット６が撮像した、警報信号を発信したデータ収集装置の画像をクライアント端末２へ送信する。
【００５５】
以上、本発明の最適な実施形態について説明したのだが、本発明は、上記の実施形態に限らず、要旨を逸脱しない範囲でさまざまな改変を施すことができる。また、この実施形態は、農作物育成支援システムでのデータ収集装置の適用事例であったのだけれども、農作物育成支援システムに限らず、広く一般の、屋外の環境情報を収集するデータ収集装置に適用することができる。
【００５６】
なお、「課題を解決するための手段」では、操作パネルの開閉自在なドア４０が開閉構造部に、ドア開閉センサ３９が検知手段に、データ記憶部３５が記憶手段に、データ演算部３が３演算手段に、無線通信制御部３７が送信手段または受信手段に、データ制御部３４が制御手段に、カメラ・ユニット６が撮像手段にそれぞれ対応する。
【図面の簡単な説明】
【００５７】
【図１】本発明に係るデータ収集装置を備えた農作物育成支援システムの、全体構成を示すブロック図である。
【図２】本発明を適用したデータ収集装置の、外観を示す斜視図である。
【図３】データ収集装置における本体ユニットの主体構成を機能別に示したブロック図である。
【図４】本体ユニットにおけるドアの開閉回数が所定数を越えた場合の警報処理を示すフローチャートである。
【図５】本体ユニットが警報信号を受信した場合の処理を示すフローチャートである。
【符号の説明】
【００５８】
１    農作物育成支援システム
２    クライアント端末
３    データ収集装置
４    集計解析サーバ
５    電気通信回線
６    カメラ・ユニット
７    温度・湿度センサ
３０    本体ユニット
３０ａ  支柱
３１    センサＩ／Ｆ部
３２    データ収集部
３３    データ演算部
３４    データ制御部
３５    データ記憶部
３６    データ表示部
３７    無線通信制御部
３８    無線通信部
３９    ドア開閉センサ
４０    ドア
６０    カメラ
７０    温度・湿度センサ
７１    土壌温度センサ
７２    土壌水分センサ
７３    土壌ＥＣセンサ
７４    日射量センサ
７５    ＣＯ２センサ
【図１】
2008304974.tif 000003
【図２】
2008304974.tif 000004
【図３】
2008304974.tif 000005
【図４】
2008304974.tif 000006
【図５】
2008304974.tif 000007